(57)【要約】本発明は、２つの補綴部と１つのコネクタ部とを有する歯科補綴の三次元形状に関するデータの処理に関する。前記コネクタ部は前記２つの補綴部に接続されており、前記２つの補綴部より安定性が低い。データ処理は、−安定性パラメータおよび安定性基準がコネクタ部に対して決定されるステップと、−前記安定性パラメータのために、実効値が前記データから計算されるステップと、−前記コネクタ部について前記実効値が前記安定性基準を満たすかどうかチェックされ、満たさない場合には、警告信号が発生されるステップとを含んで成り、ここで前記安定性基準の決定が、以下の補綴属性、すなわち、−補綴の構造、−口腔内部の補綴の位置、−前記コネクタ部の材料および／または断面形状、−前記コネクタ部に隣接する前記補綴部の種類の少なくとも１つに依存している。【特許請求の範囲】
【請求項１】
２つの補綴部と１つのコネクタ部とを有する歯科補綴の三次元形状に関するデータの処理方法であって、前記コネクタ部が前記２つの補綴部に接続されており、前記２つの補綴部より安定性が低く、前記方法が、
−安定性パラメータおよび安定性基準が前記コネクタ部に対して決定されるステップと、
−前記安定性パラメータのために、実効値が前記データから計算されるステップと、
−前記コネクタ部について実効値が前記安定性基準を満たすかどうかチェックされ、満たさない場合には、警告信号が発生されるステップと
を含んで成り、
ここで前記安定性基準の決定が、以下の補綴属性、すなわち、
−補綴の構造、および／または
−口腔内部の補綴の位置、および／または
−前記コネクタ部の材料および／または断面形状、および／または
−前記コネクタ部に隣接する補綴部の種類
の少なくとも１つに依存している方法。
【請求項２】
前記安定性基準が、前記実効値が比較される限界を含む、請求項１に記載の方法。
【請求項３】
前記コネクタ部の最小断面積が１つの安定性パラメータであり、かつ前記安定性基準がそれに対する低い限界を含んで成る、請求項１または２に記載の方法。
【請求項４】
前記コネクタ部の長さが１つの安定性パラメータであり、かつ前記安定性基準がそれに対する上限を含んで成る、請求項１〜３のいずれか一項に記載の方法。
【請求項５】
前記コネクタ部の最小部係数が１つの安定性パラメータであり、かつ前記安定性基準がそれに対する下限を含んで成る、請求項１〜４のいずれか一項に記載の方法。
【請求項６】
前記安定性パラメータが有限要素法および／または境界要素法を用いて決定される、請求項１〜５のいずれか一項に記載の方法。
【請求項７】
前記実効値の計算が所定の規格に従って開始される、請求項１〜６のいずれか一項に記載の方法。
【請求項８】
前記実効値の計算が所定の時間プランに従って開始される、請求項１〜７のいずれか一項に記載の方法。
【請求項９】
前記形状データが修正されうるとともに、データを修正するまたはデータが修正されるとすぐに前記実効値の計算が開始される、請求項１〜８のいずれか一項に記載の方法。
【請求項１０】
前記警告信号が、前記安定性基準を満たさない原因となる形状データの変更を無効とする、ユーザーおよび／またはステップに対する警告を誘発する、請求項１〜９のいずれか一項に記載の方法。
【請求項１１】
コンピュータプログラムを用いて行われる、請求項１〜１０のいずれか一項に記載の方法。
【請求項１２】
請求項１〜１１のいずれか一項に記載の方法を行うためのデータ処理装置であって、
−データのための入力装置と、
−プログラムが前記方法に従ってデータの処理のために実行される前記入力装置に接続された中央ユニットと、
−前記中央ユニットに接続された前記警告信号のための出力装置と
を有するデータ処理装置。
【請求項１３】
データを変更するための入力装置および前記データを表示するための出力装置が前記中央ユニットに接続されている、請求項１２に記載のデータ処理装置。
【請求項１４】
請求項１〜１１のいずれか一項に記載の方法を行うのに適合されているコンピュータプログラム。
【請求項１５】
コンピュータで実行される場合、請求項１〜１１のいずれか一項に記載の方法を行うコンピュータプログラム。
【請求項１６】
請求項１〜１１のいずれか一項に記載の方法を行う命令を含んで成るコンピュータプログラム。
【請求項１７】
請求項１〜１１のいずれか一項に記載の方法を実施するコンピュータプログラム。
【請求項１８】
請求項１４〜１７のいずれか一項に記載のコンピュータプログラムが保存されるデータキャリア。
【発明の詳細な説明】
【技術分野】
【０００１】
本発明は、歯科代替品の製造に関し、より正確には、２つの補綴部と１つのコネクタ部とを有し、前記コネクタ部が２つの補綴部に接続されており、２つの補綴部より安定性が低い、歯科補綴の三次元形状に関するデータの処理に関する。
【０００２】
「歯科補綴」なる用語は、ここではきわめて広い意味で理解されるべきであり、例えば、ブリッジ、インプラント、および狭い意味での歯科補綴などすべての種類の歯科代替品だけではなく、完成したブリッジを得るためにその上にベニヤリングがさらに貼付けられるブリッジ下部構造またはコーピングなどかかる歯科補綴の部品も含むことが意図されている。
【０００３】
例えば、「２つの補綴部」または「１つのコネクタ部」など本明細書で使用される数量表示は、「正確に」または「から成る」などの文言によって表現されていない場合、一般に「少なくとも２つ」または「少なくとも１つ」という意味により最小として理解されるべきである。
【０００４】
したがって、本発明は、例えば、２つのユニットがコネクタによって接続されている２ユニットのブリッジコーピングだけではなく、各２つの隣接するユニットが１つのコネクタによって接続されている３および多ユニットのブリッジコーピングも含む。これらのユニットは、必要に応じて、アンカー、ポンティックとも呼ばれる中間ユニット、またはカンチレバーユニットでありうる。すなわち、アンカーがブリッジアバットメントとして使用される残根上にクラウンのように固定され、中間ユニットまたはポンティックが２つのユニット間に固定され、ブリッジアバットメントには固定されず、カンチレバーユニットが１つのユニットのみに固定され、ブリッジアバットメントには固定されない。
【０００５】
したがって、ワンピースブリッジによって、ブリッジユニットに隣接するシングルピースから成り、かつコーピングを有さないブリッジが、互いに対して直接、すなわち中間に位置するコネクタなしに隣接する。この場合には、１つのユニットから他のユニットへの移行領域は本発明のコネクタ部を表し、前記移行領域は、欠損歯の自然な外観にできるだけ近づくことになっているユニットの形状による多かれ少なかれ顕著な制限または平坦化を有する。
【背景技術】
【０００６】
ブリッジコーピングの三次元形状に関するデータの処理は、セラミックブリッジコーピングの製造用に、ＬＡＶＡの名称で３Ｍ  ＥＳＰＥ  ＡＧ（ドイツ、ゼーフェルト（Ｓｅｅｆｅｌｄ））によって入手可能となっているＣＩＭ（＝コンピュータ統合生産（ｃｏｍｐｕｔｅｒ−ｉｎｔｅｇｒａｔｅｄ  ｍａｎｕｆａｃｔｕｒｉｎｇ））システムの一部であるＣＡＤ（＝コンピュータ支援設計（ｃｏｍｐｕｔｅｒ  ａｉｄｅｄ  ｄｅｓｉｇｎ））システムを用いてなされうることが知られている。この周知のＬＡＶＡシステムにより、ＣＡＤシステムは一方では光学式スキャナに接続され、他方ではＮＣフライス盤に接続される。スキャナは歯列印象の三次元表面を捕捉する。ＣＡＤシステムにより、ユーザーは、ブリッジコーピングの三次元形状を作成するために、これらの表面データを要望どおりに修正し、次いで対応する形状データをＮＣフライス盤へ送ることができる。最後に、ＮＣフライス盤により、酸化ジルコニウムまたはジルコニアセラミックのブランクが形状データとできるだけ正確に一致させて処理される。
【０００７】
歯科技工士は、最初にブリッジに所望の自然な外観を与えるために完成したフライスブリッジコーピングにベニヤを備える必要があるため、コネクタが２つの隣接するブリッジユニット間の接触区域におけるベニヤの貼付け中に邪魔になるのでできるだけ薄いコネクタを所望する。これは特に前歯にとって重要であるが、それは前歯が臼歯よりも相当に薄く、したがってベニヤが利用可能なスペースが少ないためである。
【０００８】
しかし周知の製造方法により、ユーザーは、それらがフライス中だけではなくその後の咀嚼時にも部分的に強い負荷に耐えるために十分に安定であるために、コネクタがあまりにも薄く設計されないようにきわめて注意深く確認しなければならない。このためにユーザーは多くの経験を必要とする。ブランクのために使用されるセラミックは、新しい（ｙｏｕｎｇ）歯科材料であり、長期間使用される金属合金と比較した場合には現在高価であるため、多くの歯科技工士は必要な経験を欠いており、かつ費用のかかる訓練が必要とされる。
【発明の開示】
【課題を解決するための手段】
【０００９】
第１の態様においては、本発明は、２つの補綴部と１つのコネクタ部とを有する歯科補綴の三次元形状に関するデータの処理方法であって、コネクタ部が２つの補綴部に接続されており、２つの補綴部より安定性が低く、本方法が、
−安定性パラメータおよび安定性基準がコネクタ部に対して決定されるステップと、
−安定性パラメータのために、実効値がデータから計算されるステップと、
−コネクタ部について実効値が安定性基準を満たすかどうかチェックされ、満たさない場合には、警告信号が発生されるステップと
を含んで成り、
ここで安定性基準の決定が、以下の補綴属性、すなわち、
−補綴の構造、および／または
−口腔内部の補綴の位置、および／または
−コネクタ部の材料および／または断面形状、および／または
−コネクタ部に隣接する補綴部の種類
の少なくとも１つに依存している方法に関する。
【００１０】
以下、この１つの特定の補綴に限定されることを意図せずに、ジルコニアセラミックのブリッジコーピングの例を用いて本発明について説明する。
【発明を実施するための最良の形態】
【００１１】
安定性パラメータおよび安定性基準の決定は、例えば、ユーザー自身によってなされうるが、それはユーザーが、例えば、その構成が２つのアンカーと１つのポンティックを提供し、円柱の形で２つのコネクタを有する臼歯用の３ユニットブリッジコーピングにより、２つのコネクタが所望の安定性を達成するために少なくとも９ｍｍ２の円形断面積を有することを規定する点においてである。したがって、安定性パラメータは「円形断面積」であり、安定性基準は条件「少なくとも９ｍｍ２の円形断面積」である。しかし安定性パラメータおよび安定性基準の決定は、ユーザーにとって、所望のブリッジコーピングを製品カタログから選択し、次いで自動的に安定性パラメータおよび安定性基準の提案を受取ることも容易になりうる。
【００１２】
この３ユニットブリッジコーピングは、上記の歯科補綴の例であり、そのアンカーおよびポンティックは上記の補綴部の例であり、そのコネクタは上記のコネクタ部の例である。
【００１３】
補綴の構成では、例えば、カンチレバーユニットの有無による２または３ユニット、シングルまたは２スパンブリッジコーピングが処理されるかどうかが記載される。カンチレバーを有さない４ユニット、シングルスパンブリッジにより、２つのポンティックが互いに、かつ外側端上に位置する２つのアンカーに３つのコネクタによって接続されており、２つのポンティック間に位置する中央コネクタが最大の負荷にさらされるようになっている。したがって、ほとんどの場合、その安定性を監視するのに十分である。
【００１４】
コネクタの断面の形状は円形から逸脱もしうるが、例えば、前歯用のブリッジコーピングにより、上方および／または下方へ伸ばされ、これは前方および／または後方で扁平であることを意味する。上下からの負荷に対して、かかる形状が同等のサイズの円形の形状よりも良好な抵抗となる。
【００１５】
現行のブリッジコーピングの形状データから断面積の実効値の計算が、例えば、スクリーン上に結果を表示するコンピュータを用いて自動的に行われうる。
【００１６】
これらの実効値がそれぞれ９ｍｍ２より大きいか、またはこれに等しいかどうかについてのその後の検証も、例えば、スクリーン上に結果を表示するコンピュータを用いて自動的に行われうる。警告信号としては、例えば、メニューバー上の赤色の長方形である記号がスクリーン上に示されうる。９ｍｍ２よりも小さい断面を有するコネクタが、異なる色でスクリーン上に表示されることも可能である。
【００１７】
さらに本発明の特徴および実施形態が下位クレームに記載されている。
【００１８】
安定性基準は、それと実効値が比較される限界を含む。この限界は上限または下限でありうるが、２つの限界によって規定される限界範囲も示されうる。
【００１９】
コネクタ部の最小限の断面積が１つの安定性パラメータであり、かつ安定性基準がそれに対する下限を含んで成ることが示されうる。円筒形でのコネクタにより、断面積はその長さにわたって当然一定であるが、しかし、同じ形状の異なる断面積を有するコネクタにより、その特定の位置は安定度が最も低く、ここは断面積が最小である。
【００２０】
コネクタ部の長さが１つの安定性パラメータであり、かつ安定性基準はそれに対する上限を含んで成ることが示されうる。
【００２１】
ユニットの不規則な形状により、コネクタの長さはその位置およびユニットに対する位置付けによって決まる。さらに、コネクタの安定性は長さの増加とともに減少する。
【００２２】
コネクタ部の最小断面係数が１つの安定性パラメータであり、かつ安定性基準がそれに対する下限を含んで成ることが示されうる。断面積に関して先になされた説明は、同じように断面係数にも適用されうる。
【００２３】
安定性パラメータは有限要素法および／または境界要素法を用いて決定されることが示されうる。これらの方法は、コンピュータを用いて最も良く行われ、複雑な構造に対しても安定性のきわめて正確な判定が達成される。
【００２４】
実効値の計算は所定の規格に従って開始されることが示されうる。この規格は、例えば、計算を開始するための制御命令をコンピュータへ入力するという点でユーザーによって指定されうる。
【００２５】
実効値の計算は所定の時間プランに従って開始されることが示されうる。時間プランは、例えば、それに従って計算が開始される特定の周期またはパルスを提供しうる。
【００２６】
形状データは変更また修正されうるとともに、実効値の計算はデータを変更または修正したか、あるいはデータが変更または修正されるとすぐに開始されることが示されうる。データの変更または修正は、例えば、ＣＡＤシステムを用いてユーザーによってなされうるが、現行の形状データを用いてＣＡＤシステムが自動的に安定性を検証することも可能であり、否定的な検証結果となる場合には安定性が増加するようにデータが修正される。
【００２７】
警告信号が、安定性基準を満たさない原因となる形状データの変更または修正を無効とする、ユーザーおよび／またはステップに対する警告を誘発することが示されうる。
【００２８】
本方法がコンピュータプログラムを用いて実行されることが示されうる。このプログラムは、例えば、ＣＡＤシステムで実行される。
【００２９】
第２の態様においては、本発明は、本発明による方法を行うためのデータ処理装置であって、
−データのための入力装置と、
−プログラムが本方法に従ってデータの処理のために実行される入力装置に接続された中央ユニットと、
−中央ユニットに接続された警告信号のための出力装置と
を有するデータ処理装置に関する。
【００３０】
したがって、この装置はＣＡＤシステムを意味する。入力装置は、例えば、歯列印象の表面の三次元スキャニングのためのスキャナの出力部に接続されうる。出力装置は、例えば、ブランクのコンピュータ支援処理のためのＮＣフライス盤または他の機械の入力部に接続されうる。
【００３１】
データを変更または修正するための入力装置およびデータを表示するための出力装置が、中央ユニットに接続されていることが示されうる。この入力装置は、例えば、キーボードまたはマウスでありうる。出力装置は、例えば、スクリーンでありうる。
【００３２】
第３の態様においては、本発明は、本発明による方法を行うのに適合されているコンピュータプログラムに関する。
【００３３】
第４の態様においては、本発明は、コンピュータで実行される場合、本発明による方法を行うコンピュータプログラムに関する。
【００３４】
第５の態様においては、本発明は、本発明による方法を行う命令を含んで成るコンピュータプログラムに関する。
【００３５】
第６の態様においては、本発明は、本発明による方法を実施するコンピュータプログラムに関する。
【００３６】
第７の態様においては、本発明は、本発明によるコンピュータプログラムが保存されるデータキャリアに関する。データキャリアは、例えば、フロッピー（登録商標）ディスク、磁気テープ、ＣＤ、ＤＶＤ、メモリスティック、ハードディスク、ＲＡＭ、またはＲＯＭでありうる。
【００３７】
本発明はこれまでそのいくつかの実施形態に関連して記載されたことになる。当業者には、本発明の範囲を逸脱することなく記載された実施形態において多くの変更がなされうることが明らかであろう。したがって、本発明の範囲は、本明細書に記載された構造に限定されるべきではなく、請求項の文言によって記載された構造およびその構造の等価物によってのみ限定されるべきである。
【国際調査報告】
2006521133.tif 000002
2006521133.tif 000003
2006521133.tif 000004